(57)【要約】【課題】プール、クアハウス、公衆浴場等のライフガードが必要となる施設での利用者の体調を遠隔監視により確実に管理することができるようにする。【解決手段】プール６０を利用する利用者の手首に取付けられるキーバンド１０により、利用者に関わる情報が送信されるようにし、プール６０内に設けられる受信部２０により、利用者に関わる情報を信号として受信し、カメラ３０により、プール６０内を撮像し、ライフガード管理装置４０により、受信部２０を介して得られる利用者に関わる情報を管理し、モニター５０により、カメラ３０によって撮像されたプール６０内の画像やライフガード管理装置４０によって管理される利用者に関わる情報を表示するようにする。【選択図】　　図１
2004046440.tif 000002
【特許請求の範囲】
【請求項１】
ライフガードが必要となる施設を利用する利用者の手首に取付けられるとともに、前記利用者に関わる情報の送信機能を有したキーバンドと、
前記施設内に設けられ、前記利用者に関わる情報を信号として受信する受信部と、
前記施設内を撮像するカメラと、
前記受信部を介して得られる前記利用者に関わる情報を管理するライフガード管理装置と、
前記カメラによって撮像された前記施設内の画像や前記ライフガード管理装置によって管理される前記利用者に関わる情報を表示するモニターとを備える
ことを特徴とするライフガードシステム。
【請求項２】
前記キーバンドは、
個々の前記キーバンドを識別するためのキーバンドＩＤ情報が記憶されているキーバンドＩＤ記憶部と、
前記利用者の脈拍を計測する脈計測部と、
前記キーバンドＩＤ記憶部に記憶されている前記キーバンドＩＤ情報と前記脈計測部によって計測された脈拍情報とを送信する送信部とを備える
ことを特徴とする請求項１に記載のライフガードシステム。
【請求項３】
前記ライフガード管理装置は、
前記受信部を介して得られるキーバンドＩＤ情報から前記利用者を判別する利用者判別部と、
前記利用者の位置を判別する利用者位置判別部と、
前記利用者の年齢及び性別や体調に応じた適正域の脈拍情報を管理する脈情報管理部と、
前記受信部を介して得られる前記利用者のキーバンドＩＤ情報と脈拍情報とを元に、前記脈情報管理部によって管理されているそれぞれの利用者の適正域の脈拍情報から安全かどうかを判別するセーフティー判別部と、
前記セーフティー判別部による判別の結果、何れかの利用者が安全でないとされると、前記モニターにキーバンドＩＤ情報に基づいた前記利用者の氏名や年齢及び性別と、前記利用者位置判別部によって判別された前記利用者の位置と表示させる出力制御部とを備える
ことを特徴とする請求項１又は２に記載のライフガードシステム。
【請求項４】
前記利用者位置判別部による前記利用者の位置の判別は、所定の領域内の信号を受信できる感度をもったセンサーによる検知結果を元に行われることを特徴とする請求項３に記載のライフガードシステム。
【請求項５】
前記出力制御部は、前記セーフティー判別部による判別の結果、何れかの利用者が安全でないとされると、ブザーを鳴動させることを特徴とする請求項３に記載のライフガードシステム。
【請求項６】
ライフガードが必要となる施設を利用する利用者の手首に取付けられるキーバンドにより、前記利用者に関わる情報が送信される工程と、
前記施設内に設けられる受信部により、前記利用者に関わる情報を信号として受信する工程と、
カメラにより、前記施設内を撮像する工程と、
ライフガード管理装置により、前記受信部を介して得られる前記利用者に関わる情報を管理する工程と、
モニターにより、前記カメラによって撮像された前記施設内の画像や前記ライフガード管理装置によって管理される前記利用者に関わる情報を表示する工程とを有する
ことを特徴とするライフガード方法。
【請求項７】
前記利用者に関わる情報を送信する工程には、キーバンドＩＤ記憶部に記憶されているキーバンドＩＤ情報と脈計測部によって計測された脈拍情報とを送信する工程が含まれることを特徴とする請求項６に記載のライフガード方法。
【請求項８】
前記利用者に関わる情報を管理する工程には、
利用者判別部により、前記受信部を介して得られるキーバンドＩＤ情報から前記利用者を判別する工程と、
利用者位置判別部により、前記利用者の位置を判別する工程と、
脈情報管理部により、前記利用者の年齢及び性別や体調に応じた適正域の脈拍情報を管理する工程と、
セーフティー判別部により、前記受信部を介して得られる前記利用者のキーバンドＩＤ情報と脈拍情報とを元に、前記脈情報管理部によって管理されているそれぞれの利用者の適正域の脈拍情報から安全かどうかを判別する工程と、
出力制御部により、前記セーフティー判別部による判別の結果、何れかの利用者が安全でないとされると、前記モニターにキーバンドＩＤ情報に基づいた前記利用者の氏名や年齢及び性別と、前記利用者位置判別部によって判別された前記利用者の位置と表示させる工程とが含まれる
ことを特徴とする請求項６又は７に記載のライフガード方法。
【請求項９】
前記利用者の位置を判別する工程には、所定の領域内の信号を受信できる感度をもったセンサーによる検知結果を元に前記利用者の位置を判別する工程が含まれることを特徴とする請求項８に記載のライフガード方法。
【請求項１０】
前記セーフティー判別部による判別の結果、何れかの利用者が安全でないとされると、前記出力制御部によりブザーを鳴動させる工程が含まれることを特徴とする請求項８に記載のライフガード方法。
【発明の詳細な説明】
【０００１】
【発明の属する技術分野】
本発明は、プール、クアハウス、公衆浴場等での利用者の体調を遠隔監視により管理するライフガードシステムに関する。
【０００２】
【従来の技術】
たとえばプール等においては、利用者の溺水事故等を未然に防ぐために、監視員による目視確認やモニターシステムによる遠隔監視等が行われるようになっている。
【０００３】
【発明が解決しようとする課題】
ところが、上述した監視員による目視確認やモニターシステムによる遠隔監視等によるものでは、何れも目視による監視であるため、利用者が寝ているのか具合が悪いのか、判断がつかない場合がある。
【０００４】
この場合、利用者に声を掛けることで、具合が悪いかどうかの確認を行うことができるが、特にホテルのプール等では利用者に声を掛けると失礼にあたることがある。
【０００５】
また、場所によっては監視員を置かない所があり、その場合には受付が監視を兼務していることがある。このように、受付が監視を兼務している場合には、たとえばモニターによって利用者を監視することになり、さらに利用者の監視が不十分になるおそれがある。
【０００６】
本発明は、このような状況に鑑みてなされたものであり、プール、クアハウス、公衆浴場等のライフガードが必要となる施設での利用者の体調を遠隔監視により確実に管理することができるライフガードシステムを提供することができるようにするものである。
【０００７】
【課題を解決するための手段】
本発明のライフガードシステムは、ライフガードが必要となる施設を利用する利用者の手首に取付けられるとともに、利用者に関わる情報の送信機能を有したキーバンドと、施設内に設けられ、利用者に関わる情報を信号として受信する受信部と、施設内を撮像するカメラと、受信部を介して得られる利用者に関わる情報を管理するライフガード管理装置と、カメラによって撮像された施設内の画像やライフガード管理装置によって管理される利用者に関わる情報を表示するモニターとを備えることを特徴とする。
また、キーバンドは、個々のキーバンドを識別するためのキーバンドＩＤ情報が記憶されているキーバンドＩＤ記憶部と、利用者の脈拍を計測する脈計測部と、キーバンドＩＤ記憶部に記憶されているキーバンドＩＤ情報と脈計測部によって計測された脈拍情報とを送信する送信部とを備えるようにすることができる。また、ライフガード管理装置は、受信部を介して得られるキーバンドＩＤ情報から利用者を判別する利用者判別部と、利用者の位置を判別する利用者位置判別部と、利用者の年齢及び性別や体調に応じた適正域の脈拍情報を管理する脈情報管理部と、受信部を介して得られる利用者のキーバンドＩＤ情報と脈拍情報とを元に、脈情報管理部によって管理されているそれぞれの利用者の適正域の脈拍情報から安全かどうかを判別するセーフティー判別部と、セーフティー判別部による判別の結果、何れかの利用者が安全でないとされると、モニターにキーバンドＩＤ情報に基づいた利用者の氏名や年齢及び性別と、利用者位置判別部によって判別された利用者の位置と表示させる出力制御部とを備えるようにすることができる。
また、利用者位置判別部による利用者の位置の判別は、所定の領域内の信号を受信できる感度をもったセンサーによる検知結果を元に行われるようにすることができる。
また、出力制御部は、セーフティー判別部による判別の結果、何れかの利用者が安全でないとされると、ブザーを鳴動させるようにすることができる。
本発明のライフガード方法は、ライフガードが必要となる施設を利用する利用者の手首に取付けられるキーバンドにより、利用者に関わる情報が送信される工程と、施設内に設けられる受信部により、利用者に関わる情報を信号として受信する工程と、カメラにより、施設内を撮像する工程と、ライフガード管理装置により、受信部を介して得られる利用者に関わる情報を管理する工程と、モニターにより、カメラによって撮像された施設内の画像やライフガード管理装置によって管理される利用者に関わる情報を表示する工程とを有することを特徴とする。また、利用者に関わる情報を送信する工程には、キーバンドＩＤ記憶部に記憶されているキーバンドＩＤ情報と脈計測部によって計測された脈拍情報とを送信する工程が含まれるようにすることができる。
また、利用者に関わる情報を管理する工程には、利用者判別部により、受信部を介して得られるキーバンドＩＤ情報から利用者を判別する工程と、利用者位置判別部により、利用者の位置を判別する工程と、脈情報管理部により、利用者の年齢及び性別や体調に応じた適正域の脈拍情報を管理する工程と、セーフティー判別部により、受信部を介して得られる利用者のキーバンドＩＤ情報と脈拍情報とを元に、脈情報管理部によって管理されているそれぞれの利用者の適正域の脈拍情報から安全かどうかを判別する工程と、出力制御部により、セーフティー判別部による判別の結果、何れかの利用者が安全でないとされると、モニターにキーバンドＩＤ情報に基づいた利用者の氏名や年齢及び性別と、利用者位置判別部によって判別された利用者の位置と表示させる工程とが含まれるようにすることができる。
また、利用者の位置を判別する工程には、所定の領域内の信号を受信できる感度をもったセンサーによる検知結果を元に利用者の位置を判別する工程が含まれるようにすることができる。
また、セーフティー判別部による判別の結果、何れかの利用者が安全でないとされると、出力制御部によりブザーを鳴動させる工程が含まれるようにすることができる。
本発明に係るライフガードシステムにおいては、ライフガードが必要となる施設を利用する利用者の手首に取付けられるキーバンドにより、利用者に関わる情報が送信されるようにし、施設内に設けられる受信部により、利用者に関わる情報を信号として受信し、カメラにより、施設内を撮像し、ライフガード管理装置により、受信部を介して得られる利用者に関わる情報を管理し、モニターにより、カメラによって撮像された施設内の画像やライフガード管理装置によって管理される利用者に関わる情報を表示するようにする。
【０００８】
【発明の実施の形態】
以下、本発明の実施の形態について説明する。
【０００９】
図１は、本発明のライフガードシステムの一実施の形態を示す図、図２は、図１のライフガードシステムの詳細を示す図、図３は、図１の受信部及びカメラの配置位置を説明するための図、図４は、図１のライフガードシステムの動作を説明するためのフローチャートである。
【００１０】
図１に示すように、ライフガードシステムは、キーバンド１０、受信部２０、カメラ３０、ライフガード管理装置４０、モニター５０を備えている。
【００１１】
キーバンド１０は、複数の利用者がロッカーキー等を携帯するために手首に取付けられるものであり、たとえばプール６０での使用を可能とするために防水構造とされている。また、キーバンド１０は、たとえば図２に示すように、キーバンドＩＤ記憶部１１、脈計測部１２、送信部１３、制御部１４を備えている。
【００１２】
キーバンドＩＤ記憶部１１には、個々のキーバンド１０を識別するためのキーバンドＩＤ情報が記憶されている。ここで、キーバンドＩＤ情報は、たとえば数桁の数字で示すようにしてもよい。
【００１３】
脈計測部１２は、利用者の脈拍を計測するものである。送信部１３は、キーバンドＩＤ記憶部１１に記憶されているキーバンドＩＤ情報と脈計測部１２によって計測された脈拍情報とを送信するものである。制御部１４は、送信部１３による送信タイミング等を制御するものである。
【００１４】
受信部２０は、キーバンド１０から発信されるキーバンドＩＤ情報と脈拍情報とを信号として受信するものである。カメラ３０は、たとえばプール６０の全体を撮像するものである。ここで、受信部２０及びカメラ３０は、たとえば図３に示すように、プール６０の全体（波線で示している）をカバーできる位置に配置することが好ましい。
【００１５】
ライフガード管理装置４０は、受信部２０を介して得られる利用者のキーバンドＩＤ情報と脈拍情報とから個々の利用者の体調を管理するものであり、たとえば図２に示すように、利用者判別部４１、利用者位置判別部４２、脈情報管理部４３、セーフティー判別部４４、出力制御部４５を備えている。
【００１６】
利用者判別部４１は、受信部２０を介して得られるキーバンドＩＤ情報から利用者を判別する。ここで、キーバンドＩＤ情報は上述したように数桁の数字で示すようにし、それぞれのキーバンドＩＤ情報に対応させて利用者の氏名や年齢及び性別等の情報を外部端末により入力するようにしてもよい。また、このようなキーバンドＩＤ情報に対応させた利用者の氏名や年齢及び性別等の情報は、図示しない外部記憶装置に記憶させるようにしてもよい。
【００１７】
利用者位置判別部４２は、たとえばキーバンド１０から発信される信号の発信源から利用者の位置を判別するものである。この場合、たとえばキーバンド１０から発信周波数を個々のキーバンド１０毎に異なるものとし、さらにそれぞれ異なる発信周波数を検知するセンサーをプール６０の周囲に配置するようにしてもよい。また、センサーは、所定の領域内の信号を受信できる感度のものとすることで、何れかのセンサーによる検知結果から利用者の位置を判別することが可能となる。
【００１８】
脈情報管理部４３は、利用者の年齢及び性別や体調等に応じた適正域の脈拍情報を管理している。ここで、運動によって増加する上限の心拍数（最高心拍数）は、たとえば「２２０−年齢」で表せるように、年齢が高くなるにつれて低下する。また、その日の利用者個々の体調によっても多少の変動がある。そこで、利用者の年齢及び性別や体調等に応じた適正域の脈拍情報が必要となる。この場合、それぞれのキーバンドＩＤ情報に対応させて利用者の年齢及び性別や体調等に応じた適正域の脈拍情報を外部端末により入力するようにしてもよい。また、このようなキーバンドＩＤ情報に対応させた利用者の適正域の脈拍情報は、図示しない外部記憶装置に記憶させるようにしてもよい。
【００１９】
セーフティー判別部４４は、受信部２０を介して得られる利用者のキーバンドＩＤ情報と脈拍情報とを元に、脈情報管理部４３によって管理されているそれぞれの利用者の適正域の脈拍情報から安全かどうかを判別する。ここで、何れかの利用者が安全でないと判別されるとき、「危険性がある」、「非常に危険である」等のように段階的な判別結果が得られるようにしてもよい。
【００２０】
出力制御部４５は、利用者に関する情報をモニター５０に表示させるものであり、セーフティー判別部４４による判別の結果、何れかの利用者が安全でないとされると、モニター５０にキーバンドＩＤ情報に基づいた利用者の氏名や年齢及び性別を表示させる。この場合、セーフティー判別部４４による判別結果から「危険性がある」又は「非常に危険である」とした表示を行わせるようにしてもよい。
【００２１】
また、出力制御部４５は、利用者位置判別部４２によって判別された利用者の位置も併せて表示させるようにしてもよい。利用者の位置を表示させる際には、モニター５０に表示されるプール６０全体の画像中に利用者の位置が分るような点滅表示を行わせるようにしてもよい。また、この場合、出力制御部４５は、図示しないブザーを鳴動させるようにしてもよい。
【００２２】
モニター５０は、カメラ３０によって撮像されたプール６０全体の画像や出力制御部４５による利用者に関する情報を表示するものである。
【００２３】
次に、このような構成のライフガードシステムに動作について説明する。
まず、図４に示すように、利用者がプール６０を利用する前に、利用者が手首に取付けるキーバンド１０のキーバンドＩＤ情報に対応させ、利用者の氏名や年齢及び性別等の情報を外部端末により入力する（ステップ４０１）。また、利用者の年齢及び性別や体調等に応じた適正域の脈拍情報が必要となるため、それぞれのキーバンドＩＤ情報に対応させて利用者の年齢及び性別や体調等に応じた適正域の脈拍情報を外部端末により入力する（ステップ４０２）。このような手順により、利用者はプール６０を利用することができる。
【００２４】
利用者がプール６０を利用しているとき、キーバンド１０の脈計測部１２により利用者の脈拍が計測されるとともに、制御部１４による送信タイミングによって送信部１３によりキーバンドＩＤ記憶部１１に記憶されているキーバンドＩＤ情報と脈計測部１２によって計測された脈拍情報とが送信される（ステップ４０３）。
【００２５】
このとき、キーバンド１０からの発信周波数は、上述したように、個々のキーバンド１０毎に異なるため、たとえばプール６０の周囲に配置されている所定の領域内の信号を受信できる感度の何れかのセンサーによってその信号源が検知される（ステップ４０４）。また、カメラ３０によって撮像されているたとえばプール６０の全体の画像は、モニター５０に表示されている（ステップ４０５）。
【００２６】
そして、キーバンド１０の送信部１３からのキーバンドＩＤ情報と脈拍情報とが受信部２０により信号として受信されると、ライフガード管理装置４０の利用者判別部４１により、受信部２０を介して得られるキーバンドＩＤ情報から利用者が判別される（ステップ４０６）。
【００２７】
また、ライフガード管理装置４０の利用者位置判別部４２により、上述した何れかのセンサーによる検知結果から利用者の位置が判別される（ステップ４０７）。また、ライフガード管理装置４０のセーフティー判別部４４により、受信部２０を介して得られる利用者のキーバンドＩＤ情報と脈拍情報とを元に、脈情報管理部４３によって管理されているそれぞれの利用者の適正域の脈拍情報から安全かどうかが判別される（ステップ４０８）。
【００２８】
ここで、「危険性がある」又は「非常に危険である」とした判別でなければ（ステップ４０９）、（ステップ４０３）〜（ステップ４０８）の手順が繰返される。これに対し、「危険性がある」又は「非常に危険である」として判別されると（ステップ４０９）、ライフガード管理装置４０の出力制御部４５により、利用者に関する情報がモニター５０に表示される（ステップ４１０）。
【００２９】
ここで、利用者に関する情報としては、上述したように、セーフティー判別部４４による判別結果から「危険性がある」又は「非常に危険である」とした表示内容や利用者位置判別部４２によって判別された利用者の位置等である。また、利用者の位置を表示させる場合には、上述したように、モニター５０に表示されるプール６０全体の画像中に利用者の位置が分るような点滅表示を行わせるようする。また、出力制御部４５により、上述したように、図示しないブザーを鳴動させるようにしてもよい。
【００３０】
このようにして、何れかの利用者が「危険性がある」又は「非常に危険である」として判別されると、管理者は利用者の異常に即座に気づくことができ、しかもモニター５０に表示される利用者に関する情報からその利用者の位置、利用者の年齢及び性別や体調等の情報を即座に把握できるため、速やかに「危険性がある」又は「非常に危険である」として判別された利用者の元に駆けつけることができる。
【００３１】
このように、本実施の形態では、プール６０を利用する利用者の手首に取付けられるキーバンド１０により、利用者に関わる情報が送信されるようにし、プール６０内に設けられる受信部２０により、利用者に関わる情報を信号として受信し、カメラ３０により、プール６０内を撮像し、ライフガード管理装置４０により、受信部２０を介して得られる利用者に関わる情報を管理し、モニター５０により、カメラ３０によって撮像されたプール６０内の画像やライフガード管理装置４０によって管理される利用者に関わる情報を表示するようにしたので、プール６０での利用者の体調を遠隔監視により確実に管理することができる。
【００３２】
また、モニター５０に表示される利用者に関する情報からその利用者の位置、利用者の年齢及び性別や体調等の情報を即座に把握できるため、速やかに利用者の元に駆けつけることができる。
【００３３】
なお、本実施の形態では、本発明のライフガードシステムを、プール６０での監視に適用した場合について説明したが、この例に限らず、クアハウス、公衆浴場等のライフガードが必要となる他の施設であっても適用することができる。
【００３４】
また、本実施の形態では、プール６０内での利用者を監視する場合について説明したが、この例に限らず、受信部２０をプール６０に付随するあらゆる箇所に設置することで、プール６０に付随するあらゆる箇所での利用者の監視も可能となる。
【００３５】
また、本実施の形態では、キーバンド１０からの情報によって利用者を監視する場合について説明したが、利用者の体の一部に装着できるものであればキーバンド１０以外であってもよい。
【００３６】
【発明の効果】
以上の如く本発明に係るライフガードシステムによれば、ライフガードが必要となる施設を利用する利用者の手首に取付けられるキーバンドにより、利用者に関わる情報が送信されるようにし、施設内に設けられる受信部により、利用者に関わる情報を信号として受信し、カメラにより、施設内を撮像し、ライフガード管理装置により、受信部を介して得られる利用者に関わる情報を管理し、モニターにより、カメラによって撮像された施設内の画像やライフガード管理装置によって管理される利用者に関わる情報を表示するようにしたので、プール、クアハウス、公衆浴場等のライフガードが必要となる施設での利用者の体調を遠隔監視により確実に管理することができる。
【図面の簡単な説明】
【図１】本発明のライフガードシステムの一実施の形態を示す図である。
【図２】図１のライフガードシステムの詳細を示す図である。
【図３】図１の受信部及びカメラの配置位置を説明するための図である。
【図４】図１のライフガードシステムの動作を説明するためのフローチャートである。
【符号の説明】
１０　キーバンド
１１　キーバンドＩＤ記憶部
１２　脈計測部
１３　送信部
１４　制御部
２０　受信部
３０　カメラ
４０　ライフガード管理装置
４１　利用者判別部
４２　利用者位置判別部
４３　脈情報管理部
４４　セーフティー判別部
４５　出力制御部
５０　モニター
６０　プール
【図１】
2004046440.tif 000003
【図２】
2004046440.tif 000004
【図３】
2004046440.tif 000005
【図４】
2004046440.tif 000006